(57)【要約】【課題】電線の被覆材の損傷を防ぐとともに、相手側電気部品に電気的に接続可能な電線の数を増やすことができる接続端子ユニットおよびワイヤハーネスを提供する。【解決手段】一端側に電線Ｗの端部を圧着する電線圧着部１２を有し、かつ他端側に接続部１３を有して並列に配置される複数の接続端子１１を備え、一の接続部１３に突起部１３ｄが形成されるとともに、一の接続部１３に隣接する他の接続端子１１の他方の接続部１３に突起部１３ｄに嵌合して電気的に接続される嵌合孔１３ｃが形成され、複数の接続端子１１のうちの少なくとも一個の接続部１３が、相手側電気部品に電気的に接続されるように構成している。【選択図】図１
2016143638.tif 000002
【特許請求の範囲】
【請求項１】
一端側に電線の端部を圧着する電線圧着部を有し、かつ他端側に接続部を有して並列に配置される複数の接続端子を備え、
一の前記接続部に接続用凸部が形成されるとともに、前記一の接続部に隣接する他の前記接続部に前記接続用凸部に嵌合して電気的に接続される接続用凹部が形成され、
前記複数の接続端子のうちの少なくとも一個の前記接続部が、相手側電気部品に電気的に接続されるように構成したことを特徴とする接続端子ユニット。
【請求項２】
前記接続用凸部および前記接続用凹部は、前記電線の軸線に沿う方向および前記複数の接続端子の配列方向に対して交差する方向に嵌め合わされるように構成したことを特徴とする請求項１に記載の接続端子ユニット。
【請求項３】
前記接続用凸部および前記接続用嵌凹部は、前記電線の軸線に沿う方向に嵌め合わされるように構成したことを特徴とする請求項１に記載の接続端子ユニット。
【請求項４】
複数の電線と、請求項１ないし請求項３のいずれか１項に記載の接続端子ユニットと、を有し、前記電線が、前記電線圧着部に圧着されていることを特徴とするワイヤハーネス。
【発明の詳細な説明】
【技術分野】
【０００１】
本発明は、接続端子ユニットおよびワイヤハーネスに関する。
【背景技術】
【０００２】
従来、複数の端子を積み重ね、一本のボルトによって自動車の端子取付部に固定するようにした積み重ね型アース端子が知られている（例えば、特許文献１参照）。
【０００３】
図１５、図１６に示すように、特許文献１に記載された積み重ね型アース端子２０１は、環状の接続板部２０２の外縁部に径方向外側へ向けて突出する電線圧着部２０３が形成された複数の端子２０４を有しており、外装材２０５に収容されて電線群２０６を構成する複数の電線２０７の端部がそれぞれの電線圧着部２０３に圧着されている。
【０００４】
複数の端子２０４の接続板部２０２は、各電線圧着部２０３が上下方向に互いに干渉しないように積み重ねられており、ボルト２０８によって図示しない端子取付部に一体に固定されている。
【先行技術文献】
【特許文献】
【０００５】
【特許文献１】特許第４３１６４３０号公報
【発明の概要】
【発明が解決しようとする課題】
【０００６】
しかしながら、上述した積み重ね型アース端子２０１は、複数の電線圧着部２０３がボルト２０８を中心として異なる方向に突出しているので、ボルト２０８に向けて延びる外装材２０５から露出させた複数の電線２０７を放射状に大きく広げたうえ、各電線圧着部２０３に向けて窄まるように屈曲させる必要がある。このため、複数の電線２０７が配索される範囲が広くなり、電線２０７の屈曲部分の被覆材が他の部材と擦れ合って、被覆材に損傷が生じることが懸念されるという問題があった。
【０００７】
また、積み重ね型アース端子２０１は、複数の電線圧着部２０３が上下方向に互いに干渉しないようにボルト２０８を中心として扇状に配置されているので、電線圧着部２０３の数が限定され、端子取付部等の相手側電気部品に電気的に接続可能な電線２０７の数を増やすことができないという問題があった。
【０００８】
本発明は、上述のような課題を解決するためになされたもので、電線の被覆材の損傷を防ぐとともに、相手側電気部品に電気的に接続可能な電線の数を増やすことができる接続端子ユニットおよびワイヤハーネス提供することを目的としている。
【課題を解決するための手段】
【０００９】
本発明に係る接続端子ユニットは、上記目的達成のため、一端側に電線の端部を圧着する電線圧着部を有し、かつ他端側に接続部を有して並列に配置される複数の接続端子を備え、一の前記接続部に接続用凸部が形成されるとともに、前記一の接続部に隣接する他の前記接続部に前記接続用凸部に嵌合して電気的に接続される接続用凹部が形成され、前記複数の接続端子のうちの少なくとも一個の前記接続部が、相手側電気部品に電気的に接続されるように構成している。
【００１０】
この構成により、本発明に係る接続端子ユニットは、互いに隣接する接続部の接続用凸部と接続用凹部とを嵌合させて、並列に配置される複数の接続端子を電気的に接続するため、従来技術のもののように、複数の電線を放射状に広げたうえ、各電線圧着部に向けて窄まるように屈曲させる必要がなくなり、電線の被覆材が他の部材と擦れ合わない。
【００１１】
よって、本発明に係る端子接続ユニットは、電線の被覆材の損傷を防ぐことができ、しかも、接続端子を多くすれば、従来技術のものに比べて相手側電気部品に電気的に接続可能な電線の数を増やすことができる。
【００１２】
上述した接続端子ユニットにおいて、前記接続用凸部および前記接続用凹部は、前記電線の軸線に沿う方向および前記複数の接続端子の配列方向に対して交差する方向に嵌め合わされるように構成することが好ましい。
【００１３】
この構成により、本発明に係る接続端子ユニットは、互いに隣接する接続部の接続用凸部と接続用凹部とを、電線の軸線に沿う方向および複数の接続端子の配列方向に対して交差する方向に嵌め合わせて、並列に配置される複数の接続端子を電気的に接続するため、複数の接続端子の各電線圧着部に予め電線を圧着しておくことができる。
【００１４】
上述した接続端子ユニットにおいて、前記接続用凸部および前記接続用嵌凹部は、前記電線の軸線に沿う方向に嵌め合わされるように構成することが好ましい。
【００１５】
この構成により、本発明に係る接続端子ユニットは、互いに隣接する接続部の接続用凸部と接続用凹部とを、電線の軸線に沿う方向に嵌め合わせて、並列に配置される複数の接続端子を電気的に接続するため、複数の接続端子の各電線圧着部に予め電線を圧着しておくことができる。
【００１６】
本発明に係るワイヤハーネスは、上記目的達成のため、複数の電線と、上述の接続端子ユニットと、を有し、前記電線が、前記電線圧着部に圧着されている構成を備える。
【００１７】
この構成により、本発明に係るワイヤハーネスは、互いに隣接する接続部の接続用凸部と接続用凹部とを嵌合させて、並列に配置される複数の接続端子を電気的に接続するため、従来技術のもののように、複数の電線を放射状に広げたうえ、各電線圧着部に向けて窄まるように屈曲させる必要がなくなり、電線の被覆材が他の部材と擦れ合わない。
【００１８】
よって、本発明に係るワイヤハーネスは、電線の被覆材の損傷を防ぐことができ、しかも、接続端子を多くすれば、従来技術のものに比べて相手側電気部品に電気的に接続可能な電線の数を増やすことができる。
【発明の効果】
【００１９】
本発明によれば、電線の被覆材の損傷を防ぐとともに、相手側電気部品に電気的に接続可能な電線の数を増やすことができる接続端子ユニットおよびワイヤハーネスを提供することができる。
【図面の簡単な説明】
【００２０】
【図１】本発明の第１の実施の形態に係る接続端子ユニットおよびワイヤハーネスの斜視図であり、（ａ）は互いに隣接する接続部の接続用凸部と接続用凹部とを嵌合する前の状態を示し、（ｂ）は互いに隣接する接続部の接続用凸部と接続用凹部とを嵌合した後の状態を示す。
【図２】本発明の第１の実施の形態に係る接続端子ユニットおよびワイヤハーネスにおける接続端子の概略構成図であり、（ａ）は互いに隣接する接続部の接続用凸部と接続用凹部とを嵌合する前の接続端子の端面形状を示し、（ｂ）は互いに隣接する接続部の接続用凸部と接続用凹部とを嵌合した後の接続端子の端面形状を示す。
【図３】本発明の第１の実施の形態に係る接続端子ユニットおよびワイヤハーネスにおける接続端子の接続部の部分斜視図であり、（ａ）は接続用凸部に接続用凹部を嵌合する前の状態を示し、（ｂ）は接続用凸部に接続用凹部を嵌合した後の状態を示し、（ｃ）は接続用凸部を接続用凹部に対してかしめ加工により締結した状態を示す。
【図４】本発明の第２の実施の形態に係る接続端子ユニットおよびワイヤハーネスの斜視図であり、（ａ）は互いに隣接する接続部の接続用凸部と接続用凹部とを嵌合する前の状態を示し、（ｂ）は互いに隣接する接続部の接続用凸部と接続用凹部とを嵌合した後の状態を示す。
【図５】本発明の第２の実施の形態に係る接続端子ユニットおよびワイヤハーネスにおける接続端子の接続部の概略構成図であり、互いに隣接する接続部の接続用凸部と接続用凹部とを嵌合した後の接続端子の端面形状を示す。
【図６】本発明の第３の実施の形態に係る接続端子ユニットおよびワイヤハーネスの斜視図であり、互いに隣接する接続部の接続用凸部と接続用凹部とを嵌合した後の状態を示す。
【図７】本発明の第３の実施の形態に係る接続端子ユニットおよびワイヤハーネスにおける接続端子の接続部の概略構成図であり、（ａ）は互いに隣接する接続用凸部に接続用凹部を嵌合する前の端面形状を示し、（ｂ）は互いに隣接する接続部の接続用凸部と接続用凹部とを嵌合した後の端面形状を示す。
【図８】本発明の第４の実施の形態に係る接続端子ユニットおよびワイヤハーネスの斜視図である。
【図９】本発明の第４の実施の形態に係る接続端子ユニットおよびワイヤハーネスにおける接続端子の接続部の概略構成図であり、（ａ）は接続部の断面形状を示し、（ｂ）は、接続部子の平面形状を示す。
【図１０】本発明の第４の実施の形態に係る接続端子ユニットおよびワイヤハーネスにおける接続端子の接続部及びアース用接続端子の接続部の概略構成図であり、（ａ）は互いに隣接する接続用凸部に接続用凹部を嵌合する前の断面形状を示し、（ｂ）は互いに隣接する接続部の接続用凸部と接続用凹部とを嵌合した後の端面形状を示す。
【図１１】本発明の第５の実施の形態に係る接続端子ユニットおよびワイヤハーネスの斜視図であり、（ａ）は互いに隣接する接続部の接続用凸部と接続用凹部とを嵌合する前の状態を示し、（ｂ）は互いに隣接する接続部の接続用凸部と接続用凹部とを嵌合した後の状態を示す。
【図１２】本発明の第６の実施の形態に係る接続端子ユニットおよびワイヤハーネスの斜視図である。
【図１３】本発明の第６の実施の形態に係る接続端子ユニットおよびワイヤハーネスにおける接続端子の接続部の概略構成図であり、（ａ）は接続部の断面形状を示し、（ｂ）は、接続部の平面形状を示す。
【図１４】本発明の第６の実施の形態に係る接続端子ユニットおよびワイヤハーネスにおける接続端子の接続部の概略構成図であり、（ａ）は互いに隣接する接続用凸部に接続用凹部を嵌合する前の断面形状を示し、（ｂ）は互いに隣接する接続部の接続用凸部と接続用凹部とを嵌合した後の端面形状を示す。
【図１５】従来の積み重ね型アース端子の斜視図である。
【図１６】従来の積み重ね型アース端子の概略構成図である。
【発明を実施するための形態】
【００２１】
以下、本発明の実施の形態に係る接続端子ユニットおよびワイヤハーネスについて、図面を参照して説明する。
【００２２】
（第１の実施の形態）
図１〜図３に示すように、本実施の形態に係る接続端子ユニット１０は、ワイヤハーネス１に適用するものであり、三個の接続端子１１と、一個のアース用接続端子２１とを備え、四本の電線Ｗと組み合わせてワイヤハーネス１を構成している。
【００２３】
接続端子ユニット１０は、三個の接続端子１１と、一個のアース用接続端子２１とを並列に位置するように配置している。
【００２４】
接続端子１１は、一端側に電線Ｗの端部を圧着して保持する電線圧着部１２を有し、かつ他端側に接続部１３を有している。
【００２５】
接続部１３は、電線圧着部１２の先端部に連なって延びる高段側半部１３ａと、高段側半部１３ａの一側部に階段状に連なる低段側半部１３ｂとを含んでいる。
【００２６】
高段側半部１３ａは、隣接する他の接続部１３の低段側半部１３ｂに覆い被さって重なり合うように形成されており、上下方向に貫通する嵌合孔１３ｃが穿設されている。この嵌合孔１３ｃは、本発明における接続用凹部に相当する。
【００２７】
低段側半部１３ｂは、上向きに突出して高段側半部１３ａの嵌合孔１３ｃに嵌まり込む筒状の突起部１３ｄを有している。突起部１３ｄの先端部は、径方向外側に向けて屈曲させることができるように櫛歯状に切り込まれている。この突起部１３ｄは、本発明における接続用凸部に相当する。
【００２８】
すなわち、互いに隣接する接続部１３の高段側半部１３ａの嵌合孔１３ｃおよび低段側半部１３ｂの突起部１３ｄは、電線Ｗの軸線に沿う方向および接続端子１１の配列方向に対して直角に交差する方向に嵌め合わされるように構成されている。
【００２９】
突起部１３ｄは、隣接する他の接続部１３の高段側半部１３ａの嵌合孔１３ｃに挿入されたうえ、先端部が径方向外側へ向けて屈曲するようにかしめ加工されて嵌合孔１３ｃに締結されている。これにより、上下に重なり合う高段側半部１３ａと低段側半部１３ｂとが、密着した状態で固定される。
【００３０】
アース用接続端子２１は、一端側に電線Ｗの端部を圧着して保持する電線圧着部２２を有し、かつ他端側に接続部２３を有している。
【００３１】
接続部２３は、電線圧着部２２の先端部に連なって延びる高段側半部２３ａと、高段側半部２３ａの一側部に階段状に連なる低段側半部２３ｂとを含んでいる。
【００３２】
高段側半部２３ａは、隣接する接続端子１１の接続部１３の低段側半部１３ｂに覆い被さって重なり合うように形成されており、上下方向に貫通する嵌合孔２３ｃが穿設されている。この嵌合孔２３ｃは、本発明における接続用凹部に相当する。
【００３３】
すなわち、高段側半部２３ａの嵌合孔２３ｃおよびそれに隣接する接続部１３の低段側半部１３ｂの突起部１３ｄは、電線Ｗの軸線に沿う方向および接続端子１１の配列方向に対して直角に交差する方向に嵌め合わされるように構成されている。
【００３４】
嵌合孔２３ｃは、隣接する接続部１３の低段側半部１３ｂの突起部１３ｄが挿入され、突起部１３ｄの先端部が径方向外側へ向けて屈曲するようにかしめ加工されて突起部１３ｄに締結されている。これにより、上下に重なり合う高段側半部１３ａと低段側半部１３ｂとが、密着した状態で固定される。
【００３５】
低段側半部２３ｂは、上下方向に貫通するボルト孔２３ｄが穿設されており、ボルト孔２３ｄに挿入した図示しないボルトを、相手側電気部品である図示しない端子取付部に締結することにより、端子取付部に電気的に接続されている。
【００３６】
本実施の形態に係る接続端子ユニット１０およびワイヤハーネス１は、互いに隣接する接続部１３の高段側半部１３ａの嵌合孔１３ｃと低段側半部１３ｂの突起部１３ｄとを嵌合させ、接続部２３の高段側半部２３ａの嵌合孔２３ｃとそれに隣接する接続部１３の低段側半部１３ｂの突起部１３ｄとを嵌合させて、並列に配置される三個の接続端子１１および一個のアース用接続端子２１を電気的に接続する。
【００３７】
このため、本実施の形態に係る接続端子ユニット１０およびワイヤハーネス１は、従来技術のもののように、四本の電線Ｗを放射状に広げたうえ、各電線圧着部１２，２２に向けて窄まるように屈曲させる必要がなく、電線Ｗの被覆材が他の部材と擦れ合わない。
【００３８】
よって、本実施の形態に係る接続端子ユニット１０およびワイヤハーネス１は、電線Ｗの被覆材の損傷を防ぐことができ、しかも、接続端子１１の数を多くすれば、従来技術のものに比べて相手側電気部品である端子接続部に電気的に接続可能な電線Ｗの数を増やすことができ、また、各電線圧着部１２，２２に予め電線Ｗを圧着しておくことができる。
【００３９】
（第２の実施の形態）
図４、図５に示すように、本実施の形態に係る接続端子ユニット１０Ａは、ワイヤハーネス１Ａに適用するものであり、四個の接続端子１１と、二個のアース用接続端子３１とを備え、六本の電線Ｗと組み合わせてワイヤハーネス１Ａを構成している。
【００４０】
接続端子ユニット１０Ａは、二個の接続端子１１と、一個のアース用接続端子３１と、二個の接続端子１１と、一個のアース用接続端子３１とを並列に位置するように配置している。接続端子１１は、図１〜図３に示すものと同一構成であるので、詳細な説明を省略する。
【００４１】
アース用接続端子３１は、一端側に電線Ｗの端部を圧着して保持する電線圧着部３２を有し、かつ他端側に接続部３３を有している。
【００４２】
接続部３３は、電線圧着部３２の先端部に連なって延びる高段側半部３３ａと、高段側半部３３ａの一側部に階段状に連なる低段側半部３３ｂとを含んでいる。
【００４３】
高段側半部３３ａは、隣接する接続端子１１の接続部１３の低段側半部１３ｂに覆い被さって重なり合うように形成されており、上下方向に貫通する嵌合孔３３ｃが穿設されている。この嵌合孔３３ｃは、本発明における接続用凹部に相当する。
【００４４】
すなわち、高段側半部３３ａの嵌合孔３３ｃおよびそれに隣接する接続部１３の低段側半部１３ｂの突起部１３ｄは、電線Ｗの軸線に沿う方向および接続端子１１の配列方向に対して直角に交差する方向に嵌め合わされるように構成されている。
【００４５】
嵌合孔３３ｃは、隣接する他の接続部１３の低段側半部１３ｂの突起部１３ｄが挿入されており、突起部１３ｄの先端部が径方向外側へ向けて屈曲するようにかしめ加工されて嵌合孔１３ｃに締結されている。これにより、上下に重なり合う高段側半部３３ａと低段側半部１３ｂとが、密着した状態で固定される。
【００４６】
低段側半部３３ｂは、隣接する接続端子１１の接続部１３の高段側半部１３ａが覆い被さって重なり合うように形成されており、上向きに突出して高段側半部１３ａの嵌合孔１３ｃに嵌まり込む筒状の突起部３３ｄを有している。突起部３３ｄの先端部は、径方向外側に向けて屈曲させることができるように櫛歯状に切り込まれている。この突起部３３ｄは、本発明における接続用凸部に相当する。
【００４７】
すなわち、低段側半部３３ｂの突起部３３ｄおよびそれに隣接する接続部１３の高段側半部１３ａの嵌合孔３３ｃは、電線Ｗの軸線に沿う方向および接続端子１１の配列方向に対して直角に交差する方向に嵌め合わされるように構成されている。
【００４８】
突起部３３ｄは、隣接する他の接続部１３の高段側半部１３ａの嵌合孔１３ｃに挿入されたうえ、先端部が径方向外側へ向けて屈曲するようにかしめ加工されて嵌合孔１３ｃに締結されている。これにより、上下に重なり合う高段側半部１３ａと低段側半部３３ｂとが、密着した状態で固定される。
【００４９】
低段側半部３３ｂは、上下方向に貫通するボルト孔３３ｅが穿設されており、ボルト孔３３ｅに挿入した図示しないボルトを、相手側電気部品である図示しない端子取付部に締結することにより、端子取付部に電気的に接続されている。
【００５０】
本実施の形態に係る接続端子ユニット１０Ａおよびワイヤハーネス１Ａは、互いに隣接する接続部１３の高段側半部１３ａの嵌合孔１３ｃと低段側半部１３ｂの突起部１３ｄとを嵌合させ、接続部３３の高段側半部３３ａの嵌合孔３３ｃとそれに隣接する接続部１３の低段側半部１３ｂの突起部１３ｄとを嵌合させ、接続部１３の高段側半部１３ａの嵌合孔１３ｃとそれに隣接する接続部３３の低段側半部３３ｂの突起部３３ｄとを嵌合させて、並列に配置される四個の接続端子１１および二個のアース用接続端子３１を電気的に接続する。
【００５１】
このため、本実施の形態に係る接続端子ユニット１０Ａおよびワイヤハーネス１Ａは、従来技術のもののように、六本の電線Ｗを放射状に広げたうえ、各電線圧着部１２，３２に向けて窄まるように屈曲させる必要がなく、電線Ｗの被覆材が他の部材と擦れ合わない。
【００５２】
よって、本実施の形態に係る接続端子ユニット１０Ａおよびワイヤハーネス１Ａは、電線Ｗの被覆材の損傷を防ぐことができ、しかも、接続端子１１の数を多くすれば、従来技術のものに比べて相手側電気部品である端子接続部に電気的に接続可能な電線Ｗの数を増やすことができ、また、各電線圧着部１２，３２に予め電線Ｗを圧着しておくことができる。
【００５３】
（第３の実施の形態）
図６、図７に示すように、本実施の形態に係る接続端子ユニット１０Ｂは、ワイヤハーネス１Ｂに適用するものであり、二個の第１接続端子４１と、二個の第２接続端子５１と、一個のアース用接続端子６１とを備え、五本の電線Ｗと組み合わせてワイヤハーネス１Ｂを構成している。
【００５４】
接続端子ユニット１０Ｂは、第１接続端子４１、第２接続端子５１、第１接続端子４１、第２接続端子５１およびアース用接続端子６１を並列に位置するように配置している。
【００５５】
第１接続端子４１は、一端側に電線Ｗの端部を圧着して保持する電線圧着部４２を有し、かつ他端側に接続部４３を有している。
【００５６】
接続部４３は、電線圧着部４２の先端部に連なって延びる中央支持部４３ａと、中央支持部４３ａの一側部に階段状に連なる一側低段部４３ｂと、中央支持部４３ａの他側部に階段状に連なる他側低段部４３ｃとを含んでいる。
【００５７】
一側低段部４３ｂは、上下方向に貫通する嵌合孔４３ｄが穿設されている。他側低段部４３ｃは、上下方向に貫通する嵌合孔４３ｅが穿設されている。これらの嵌合孔４３ｄ，４３ｅは、本発明における接続用凹部に相当する。
【００５８】
第２接続端子５１は、一端側に電線Ｗの端部を圧着して保持する電線圧着部５２を有し、かつ他端側に接続部５３を有している。
【００５９】
接続部５３は、電線圧着部５２の先端部に連なって延びる中央支持部５３ａと、中央支持部５３ａの一側部に連なり、隣接する接続部４３の他側低段部４３ｃに覆い被さるように重なる一側被覆部５３ｂと、中央支持部５３ａの他側部に連なり、隣接する接続部４３の一側低段部４３ｂに覆い被さるように重なる他側被覆部５３ｃとを含んでいる。
【００６０】
一側被覆部５３ｂは、下向きに突出して他側低段部４３ｃの嵌合孔４３ｅに嵌まり込む突起部５３ｄを有している。他側被覆部５３ｃは、下向きに突出して一側低段部４３ｂの嵌合孔４３ｄに嵌まり込む突起部５３ｅを有している。これらの突起部５３ｄ，５３ｅは、本発明における接続用凸部に相当する。
【００６１】
すなわち、一側被覆部５３ｂの突起部５３ｄおよびそれに隣接する接続部４３の他側低段部４３ｃの嵌合孔４３ｅは、電線Ｗの軸線に沿う方向および接続端子４１，５１の配列方向に対して直角に交差する方向に嵌め合わされるように構成されている。
【００６２】
また、他側被覆部５３ｃの突起部５３ｅおよびそれに隣接する接続部４３の一側低段部４３ｂの嵌合孔４３ｄは、電線Ｗの軸線に沿う方向および接続端子４１，５１の配列方向に対して直角に交差する方向に嵌め合わされるように構成されている。
【００６３】
突起部５３ｄは、隣接する他の接続部４３の他側低段部４３ｃの嵌合孔４３ｅに圧入されている。これにより、上下に重なり合う一側被覆部５３ｂと他側低段部４３ｃとが、密着した状態で固定される。
【００６４】
突起部５３ｅは、隣接する他の接続部４３の一側低段部４３ｂの嵌合孔４３ｄに圧入されている。これにより、上下に重なり合う他側被覆部５３ｃと一側低段部４３ｂとが、密着した状態で固定される。
【００６５】
アース用接続端子６１は、一端側に電線Ｗの端部を圧着して保持する電線圧着部６２を有し、かつ他端側に接続部６３を有している。
【００６６】
接続部６３は、電線圧着部６２の先端部に連なって延びる中央支持部６３ａと、中央支持部６３ａの一側部に階段状に連なる一側低段部６３ｂと、中央支持部６３ａの他側部に階段状に連なる他側低段部６３ｃを含んでいる。
【００６７】
一側低段部６３ｂは、上下方向に貫通する嵌合孔６３ｄが穿設されており、隣接する他の接続部５３の他側被覆部５３ｃが覆い被さるに重なり、突起部５３ｅが嵌合孔６３ｄに嵌まり込むようになっている。この嵌合孔６３ｄは、本発明における接続用凹部に相当する。
【００６８】
すなわち、一側低段部６３ｂの嵌合孔６３ｄおよびそれに隣接する接続部５３の他側被覆部５３ｃの突起部５３ｅは、電線Ｗの軸線に沿う方向および接続端子４１，５１の配列方向に対して直角に交差する方向に嵌め合わされるように構成されている。
【００６９】
嵌合孔６３ｄは、隣接する他の接続部５３の他側被覆部５３ｃの突起部５３ｅが圧入されている。これにより、上下に重なり合う他側被覆部５３ｃと一側低段部６３ｂとが、密着した状態で固定される。
【００７０】
他側低段部６３ｃは、上下方向に貫通するボルト孔６３ｅが穿設されており、ボルト孔６３ｅに挿入した図示しないボルトを、相手側電気部品である図示しない端子取付部に締結することにより、端子取付部に電気的に接続されている。
【００７１】
本実施の形態に係る接続端子ユニット１０Ｂおよびワイヤハーネス１Ｂは、接続部４３の他側低段部４３ｃの嵌合孔４３ｅと接続部５３の一側被覆部５３ｂの突起部５３ｄとを嵌合させ、接続部４３の一側低段部４３ｂの嵌合孔４３ｄと接続部５３の他側被覆部５３ｃの突起部５３ｅとを嵌合させ、接続部６３の一側低段部６３ｂの嵌合孔６３ｄとそれに隣接する接続部５３の他側被覆部５３ｃの突起部５３ｅとを嵌合させて、並列に配置される二個の第１接続端子４１、二個の第２接続端子５１および一個のアース用接続端子６１を電気的に接続する。
【００７２】
このため、本実施の形態に係る接続端子ユニット１０Ｂおよびワイヤハーネス１Ｂは、従来技術のもののように、五本の電線Ｗを放射状に広げたうえ、各電線圧着部４２，５２に向けて窄まるように屈曲させる必要がなく、電線Ｗの被覆材が他の部材と擦れ合わない。
【００７３】
よって、本実施の形態に係る接続端子ユニット１０Ｂおよびワイヤハーネス１Ｂは、電線Ｗの被覆材の損傷を防ぐことができ、しかも、第１接続端子４１および第２接続端子５１の数を多くすれば、従来技術のものに比べて相手側電気部品である端子接続部に電気的に接続可能な電線Ｗの数を増やすことができ、また、各電線圧着部４２，５２に予め電線Ｗを圧着しておくことができる。
【００７４】
（第４の実施の形態）
図８〜図１０に示すように、本実施の形態に係る接続端子ユニット１０Ｃは、ワイヤハーネス１Ｃに適用するものであり、五個の接続端子７１と、一個のアース用接続端子８１とを備え、五本の電線Ｗと組み合わせてワイヤハーネス１Ｃを構成している。
【００７５】
接続端子ユニット１０Ｃは、五個の接続端子７１と、一個のアース用接続端子８１とを並列に位置するように配置している。
【００７６】
接続端子７１は、一端側に電線Ｗの端部を圧着して保持する電線圧着部７２を有し、かつ他端側に接続部７３を有している。
【００７７】
接続部７３は、電線圧着部７２の先端部に連なって延び、一側部に接続端子７１の配列方向の一側に向けて階段状に突出する一側低段部７３ａを有し、他側部に接続端子７１の配列方向の一側に向けて窪む他側収容部７３ｂを有しており、端面形状が平行四辺形状に形成されている。
【００７８】
一側低段部７３ａは、隣接する他の接続部７３の他側収容部７３ｂに収容されるように形成されており、接続部７３の平行四辺形状端面の斜辺と平行に上下方向に貫通する嵌合孔７３ｃが穿設されている。この嵌合孔７３ｃは、本発明における接続用凹部に相当する。
【００７９】
他側収容部７３ｂは、天井部から接続部７３の平行四辺形状端面の斜辺と平行に下向きに突出して一側低段部７３ａの嵌合孔７３ｃに嵌まり込む突起部７３ｄを有している。この突起部７３ｄは、本発明における接続用凸部に相当する。
【００８０】
すなわち、互いに隣接する接続部７３の一側低段部７３ａの嵌合孔７３ｃおよび他側収容部７３ｂの突起部７３ｄは、電線Ｗの軸線に沿う方向および接続端子１１の配列方向に対して直角に交差する方向に嵌め合わされるように構成されている。
【００８１】
突起部７３ｄは、隣接する他の接続部７３の一側低段部７３ａの嵌合孔７３ｃに圧入されている。これにより、上下に重なり合う他側収容部７３ｂの天井部と一側低段部７３ａとが、密着した状態で固定される。
【００８２】
アース用接続端子８１は、一端側に電線Ｗの端部を圧着して保持する電線圧着部８２を有し、かつ他端側に接続部８３を有している。
【００８３】
接続部８３は、端面形状が台形状に形成され、一側部に接続端子７１の配列方向の一側に向けて階段状に突出する一側低段部８３ａを有している。
【００８４】
一側低段部８３ａは、隣接する接続部７３の他側収容部７３ｂに収容されるように形成されており、接続部７３の台形状端面の斜辺と平行に上下方向に貫通する嵌合孔８３ｃが穿設されている。この嵌合孔８３ｃは、本発明における接続用凹部に相当する。
【００８５】
すなわち、一側低段部８３ａの嵌合孔８３ｃおよびそれに隣接する接続部７３の他側収容部７３ｂの突起部７３ｄは、電線Ｗの軸線に沿う方向および接続端子７１の配列方向に対して直角に交差する方向に嵌め合わされるように構成されている。
【００８６】
嵌合孔８３ｃは、それに隣接する接続部７３の他側収容部７３ｂの突起部７３ｄが圧入されている。これにより、上下に重なり合う他側収容部７３ｂの天井部と一側低段部８３ａとが、密着した状態で固定される。
【００８７】
接続部８３は、上下方向に貫通するボルト孔８３ｂが穿設されており、ボルト孔８３ｂに挿入した図示しないボルトを、相手側電気部品である図示しない端子取付部に締結することにより、端子取付部に電気的に接続されている。
【００８８】
本実施の形態に係る接続端子ユニット１０Ｃおよびワイヤハーネス１Ｃは、互いに隣接する接続部７３の一側低段部７３ａの嵌合孔７３ｃと他側収容部７３ｂの突起部７３ｄとを嵌合させ、接続部８３の一側低段部８３ａの嵌合孔８３ｃとそれに隣接する接続部７３の他側収容部７３ｂの突起部７３ｄとを嵌合させて、並列に配置される五個の接続端子７１および一個のアース用接続端子８１を電気的に接続する。
【００８９】
このため、本実施の形態に係る接続端子ユニット１０Ｃおよびワイヤハーネス１Ｃは、従来技術のもののように、五本の電線Ｗを放射状に広げたうえ、各電線圧着部７２，８２に向けて窄まるように屈曲させる必要がなく、電線Ｗの被覆材が他の部材と擦れ合わない。
【００９０】
よって、本実施の形態に係る接続端子ユニット１０Ｃおよびワイヤハーネス１Ｃは、電線Ｗの被覆材の損傷を防ぐことができ、しかも、接続端子７１の数を多くすれば、従来技術のものに比べて相手側電気部品である端子接続部に電気的に接続可能な電線Ｗの数を増やすことができ、また、各電線圧着部７２，８２に予め電線Ｗを圧着しておくことができる。
【００９１】
（第５の実施の形態）
図１１に示すように、本実施の形態に係る接続端子ユニット１０Ｄは、ワイヤハーネス１Ｄに適用するものであり、四個の接続端子９１と、一個のアース用接続端子１０１とを備え、五本の電線Ｗと組み合わせてワイヤハーネス１Ｄを構成している。
【００９２】
接続端子ユニット１０Ｄは、四個の接続端子９１と、一個のアース用接続端子１０１とを並列に位置するように配置している。
【００９３】
接続端子９１は、一端側に電線Ｗの端部を圧着して保持する電線圧着部９２を有し、かつ他端側に接続部９３を有している。
【００９４】
接続部９３は、電線圧着部９２の先端部に連なって電線Ｗの軸線と平行に延びる円柱状の内側嵌合部９３ａと、内側嵌合部９３ａの一側部に板状の連結部９３ｂを介して連なり、内側嵌合部９３ａと平行に延びる外側嵌合部９３ｃとを含んでいる。
【００９５】
外側嵌合部９３ｃは、断面形状が略Ｃ字状に形成されており、内部に内側嵌合部９３ａが通るとともに、Ｃ字のスリット部分に連結部９３ｂが通るように構成されている。この外側嵌合部９３ｃは、本発明における接続用凹部に相当し、内側嵌合部９３ａは、本発明における接続用凸部に相当する。
【００９６】
すなわち、互いに隣接する接続部９３の内側嵌合部９３ａおよび外側嵌合部９３ｃは、
電線Ｗの軸線と平行な方向に嵌め合わされるように構成されている。
【００９７】
内側嵌合部９３ａは、隣接する他の接続部９３の外側嵌合部９３ｃに圧入されている。これにより、電線Ｗの軸線と平行な方向に嵌め合わされた内側嵌合部９３ａと外側嵌合部９３ｃとが、密着した状態で固定される。
【００９８】
アース用接続端子１０１は、一端側に電線Ｗの端部を圧着して保持する電線圧着部１０２を有し、かつ他端側に接続部１０３を有している。
【００９９】
接続部１０３は、電線圧着部１０２の先端部に連なって延びる板状の支持部１０３ａと、支持部１０３ａの一側部に連なり、電線Ｗの軸線と平行に延びる外側嵌合部１０３ｃとを含んでいる。
【０１００】
外側嵌合部１０３ｃは、断面形状が略Ｃ字状に形成されており、内部に隣接する接続部９３の内側嵌合部９３ａが通るとともに、Ｃ字のスリット部分に連結部９３ｂが通るように構成されている。この外側嵌合部１０３ｃは、本発明における接続用凹部に相当する。
【０１０１】
すなわち、接続部１０３の外側嵌合部１０３ｃおよびそれに隣接する接続部９３の内側嵌合部９３ａは、電線Ｗの軸線と平行な方向に嵌め合わされるように構成されている。
【０１０２】
外側嵌合部１０３ｃは、隣接する接続部９３の内側嵌合部９３ａが圧入されている。これにより、電線Ｗの軸線と平行な方向に嵌め合わされた内側嵌合部９３ａと外側嵌合部１０３ｃとが、密着した状態で固定される。
【０１０３】
支持部１０３ａは、上下方向に貫通するボルト孔１０３ｂが穿設されており、ボルト孔１０３ｂに挿入した図示しないボルトを、相手側電気部品である図示しない端子取付部に締結することにより、端子取付部に電気的に接続されている。
【０１０４】
本実施の形態に係る接続端子ユニット１０Ｄおよびワイヤハーネス１Ｄは、互いに隣接する接続部９３の内側嵌合部９３ａと外側嵌合部９３ｃとを嵌合させ、接続部１０３の外側嵌合部１０３ｃとそれに隣接する接続部９３の内側嵌合部９３ａとを嵌合させて、並列に配置される四個の接続端子９１および一個のアース用接続端子１０１を電気的に接続する。
【０１０５】
このため、本実施の形態に係る接続端子ユニット１０Ｄおよびワイヤハーネス１Ｄは、従来技術のもののように、五本の電線Ｗを放射状に広げたうえ、各電線圧着部９２，１０２に向けて窄まるように屈曲させる必要がなく、電線Ｗの被覆材が他の部材と擦れ合わない。
【０１０６】
よって、本実施の形態に係る接続端子ユニット１０Ａおよびワイヤハーネス１Ａは、電線Ｗの被覆材の損傷を防ぐことができ、しかも、接続端子７１の数を多くすれば、従来技術のものに比べて相手側電気部品である端子接続部に電気的に接続可能な電線Ｗの数を増やすことができ、また、各電線圧着部９２，１０２に予め電線Ｗを圧着しておくことができる。
【０１０７】
（第６の実施の形態）
図１２〜図１５に示すように、本実施の形態に係る接続端子ユニット１０Ｅは、ワイヤハーネス１Ｅに適用するものであり、四個の接続端子１１１と、一個のアース用接続端子１２１とを備え、五本の電線Ｗと組み合わせてワイヤハーネス１Ｅを構成している。
【０１０８】
接続端子ユニット１０Ｅは、四個の接続端子１１１と、一個のアース用接続端子１２１とを並列に位置するように配置している。
【０１０９】
接続端子１１１は、一端側に電線Ｗの端部を圧着して保持する電線圧着部１１２を有し、かつ他端側に接続部１１３を有している。
【０１１０】
接続部１１３は、電線圧着部１１２の先端部に連なって延び、一側部に接続端子１１１の配列方向の一側に向けて階段状に突出する一側低段部１１３ａを有し、他側部に接続端子１１１の配列方向の一側に向けて窪む他側収容部１１３ｂを有しており、平面形状が接続端子１１１の配列方向の他側に向けて突き出て屈曲するように形成されている。
【０１１１】
一側低段部１１３ａは、隣接する他の接続部１１３の他側収容部１１３ｂに収容されるように形成されており、上下方向に貫通する嵌合孔１１３ｃが穿設されている。この嵌合孔１１３ｃは、本発明における接続用凹部に相当する。
【０１１２】
他側収容部１１３ｂは、天井部から下向きに突出して一側低段部１１３ａの嵌合孔１１３ｃに嵌まり込む突起部１１３ｄを有している。この突起部１１３ｄは、本発明における接続用凸部に相当する。
【０１１３】
すなわち、互いに隣接する接続部１１３の一側低段部１１３ａの嵌合孔１１３ｃおよび他側収容部１１３ｂの突起部１１３ｄは、電線Ｗの軸線に沿う方向および接続端子１１の配列方向に対して直角に交差する方向に嵌め合わされるように構成されている。
【０１１４】
突起部１１３ｄは、隣接する他の接続部１１３の一側低段部１１３ａの嵌合孔１１３ｃに圧入されている。これにより、上下に重なり合う他側収容部１１３ｂの天井部と一側低段部１１３ａとが、密着した状態で固定される。
【０１１５】
アース用接続端子１２１は、一端側に電線Ｗの端部を圧着して保持する電線圧着部１２２を有し、かつ他端側に接続部１２３を有している。
【０１１６】
接続部１２３は、電線圧着部１２２の先端部に連なって延び、一側部に接続端子１１１の配列方向の一側に向けて階段状に突出する一側低段部１２３ａを有しており、平面形状が一側部に接続端子１１１の他側部が嵌合するように形成されている。
【０１１７】
一側低段部１２３ａは、隣接する接続部１１３の他側収容部１１３ｂに収容されるように形成されており、上下方向に貫通する嵌合孔１２３ｃが穿設されている。この嵌合孔１２３ｃは、本発明における接続用凹部に相当する。
【０１１８】
すなわち、一側低段部１２３ａの嵌合孔１２３ｃおよびそれに隣接する接続部１１３の他側収容部１１３ｂの突起部１１３ｄは、電線Ｗの軸線に沿う方向および接続端子１１１の配列方向に対して直角に交差する方向に嵌め合わされるように構成されている。
【０１１９】
嵌合孔１２３ｃは、それに隣接する接続部１１３の他側収容部１１３ｂの突起部１１３ｄが圧入されている。これにより、上下に重なり合う他側収容部１１３ｂの天井部と一側低段部１２３ａとが、密着した状態で固定される。
【０１２０】
接続部１２３は、上下方向に貫通するボルト孔１２３ｂが穿設されており、ボルト孔１２３ｂに挿入した図示しないボルトを、相手側電気部品である図示しない端子取付部に締結することにより、端子取付部に電気的に接続されている。
【０１２１】
本実施の形態に係る接続端子ユニット１０Ｅおよびワイヤハーネス１Ｅは、互いに隣接する接続部１１３の一側低段部１１３ａの嵌合孔１１３ｃと他側収容部１１３ｂの突起部１１３ｄとを嵌合させ、接続部１２３の一側低段部１２３ａの嵌合孔１２３ｃとそれに隣接する接続部１１３の他側収容部１１３ｂの突起部１１３ｄとを嵌合させて、並列に配置される四個の接続端子１１１および一個のアース用接続端子１２１を電気的に接続する。
【０１２２】
このため、本実施の形態に係る接続端子ユニット１０Ｅおよびワイヤハーネス１Ｅは、従来技術のもののように、五本の電線Ｗを放射状に広げたうえ、各電線圧着部１１２，１２２に向けて窄まるように屈曲させる必要がなく、電線Ｗの被覆材が他の部材と擦れ合わない。
【０１２３】
よって、本実施の形態に係る接続端子ユニット１０Ｅおよびワイヤハーネス１Ｅは、電線Ｗの被覆材の損傷を防ぐことができ、しかも、接続端子１１１の数を多くすれば、従来技術のものに比べて相手側電気部品である端子接続部に電気的に接続可能な電線Ｗの数を増やすことができ、また、各電線圧着部１１２，１２２に予め電線Ｗを圧着しておくことができる。
【０１２４】
以上説明したように、本発明に係る接続端子ユニットおよびワイヤハーネスは、電線の被覆材の損傷を防ぐとともに、相手側電気部品に電気的に接続可能な電線の数を増やすことができるという効果を有し、接続端子ユニットおよびワイヤハーネス全般に有用である。
【符号の説明】
【０１２５】
１，１Ａ，１Ｂ，１Ｃ，１Ｄ，１Ｅ  ワイヤハーネス
１０，１０Ａ，１０Ｂ，１０Ｃ，１０Ｄ，１０Ｅ  接続端子ユニット
１１，７１，９１，１１１  接続端子
１２，７２，９２，１１２  電線圧着部
１３，７３，９３，１１３  接続部
１３ｃ，７３ｃ，１１３ｃ  嵌合孔（接続用凹部）
１３ｄ，７３ｄ，１１３ｄ  突起部（接続用凸部）
２１，３１，６１，８１，１０１，１２１  アース用接続端子（接続端子）
２２，３２，６２，８２，１０２，１２２  電線圧着部
２３，３３，６３，８３，１０３，１２３  接続部
２３ｃ，３３ｃ，６３ｄ，８３ｃ，１２３ｃ  嵌合孔（接続用凹部）
３３ｄ  突起部（接続用凸部）
４１  第１接続端子（接続端子）
４２  電線圧着部
４３  接続部
４３ｄ，４３ｅ  嵌合孔（接続用凹部）
５１  第２接続端子（接続端子）
５２  電線圧着部
５３  接続部
５３ｄ，５３ｅ  突起部（接続用凸部）
９３ａ  内側嵌合部（接続用凸部）
９３ｃ  外側嵌合部（接続用凹部）
１０１  アース用接続端子（接続端子）
１０３ｃ  外側嵌合部（接続用凹部）
Ｗ  電線
【図１】
2016143638.tif 000003
【図２】
2016143638.tif 000004
【図３】
2016143638.tif 000005
【図４】
2016143638.tif 000006
【図５】
2016143638.tif 000007
【図６】
2016143638.tif 000008
【図７】
2016143638.tif 000009
【図８】
2016143638.tif 000010
【図９】
2016143638.tif 000011
【図１０】
2016143638.tif 000012
【図１１】
2016143638.tif 000013
【図１２】
2016143638.tif 000014
【図１３】
2016143638.tif 000015
【図１４】
2016143638.tif 000016
【図１５】
2016143638.tif 000017
【図１６】
2016143638.tif 000018